(57)【特許請求の範囲】
【請求項１】
制御装置から供給される供給電圧を受付ける第１受付手段と、
複数の予め定められた動作のうち、何れかの動作に対応した制御信号を前記制御装置から受付ける第２受付手段と、
前記制御信号を前記第２受付手段が受付けた場合に、前記制御信号に対応した予め定められた動作を設定部に設定する設定手段と、
前記第１受付手段が受付けた前記供給電圧がオフ状態の場合に、前記設定手段に設定された前記制御信号に対応した予め定められた動作を各機能部で実行すると共に、前記供給電圧がオフ状態の場合に、前記第１受付手段が、前記供給電圧がオフ状態であることを再度受け付けた場合、前記制御信号に対応した予め定められた動作とは異なる動作を各機能部で実行するよう制御する制御手段と、
を備えたデバイス。
【請求項２】
供給電圧をデバイスに出力する第１出力手段と、
前記デバイスに予め定められた動作を実行させるための制御信号を出力する第２出力手段と、
動作状態が節電モードに移行した場合に、前記供給電圧がオフ状態となるよう前記第１出力手段を制御すると共に、前記供給電圧がオフ状態の場合において前記デバイスに実行させるための前記予め定められた動作を示す制御信号を出力するよう前記第２出力手段を制御する制御手段と、
を備え、
前記制御手段は、前記動作状態が節電モードの最中に主電源がオフ状態にされた場合は、前記供給電圧をオフ状態からオン状態にした後、再びオフ状態となるよう前記第１出力手段を制御する
制御装置。
【請求項３】
前記請求項２に記載の制御装置と、
前記制御装置から出力される供給電圧、及び制御信号により制御される、前記請求項１に記載のデバイスと、
を備えた制御システム。
【請求項４】
前記請求項１に記載のデバイスの設定手段及び制御手段としてコンピュータを機能させるための制御プログラム。
【請求項５】
前記請求項２に記載の制御装置の制御手段としてコンピュータを機能させるための制御プログラム。
【発明の詳細な説明】
【技術分野】
【０００１】
本発明は、デバイス、制御装置、制御システム、及び制御プログラムに関する。
【背景技術】
【０００２】
特許文献１には、外部装置から入力される信号を受信して電源回路において起動処理を行う画像形成装置であって、制御ユニットに対して電力を供給する制御系電源回路と、駆動ユニットに対して電力を供給する駆動系電源回路と、前記外部装置から前記信号を受信して、前記外部装置側から供給される供給電圧によって前記制御系電源回路および前記駆動系電源回路をリレー駆動する制御部と、前記制御部によってリレー駆動された後、前記制御系電源回路および前記駆動系電源回路に対して前記供給電圧を印加する自己保持回路と、を備えている画像形成装置が記載されている。
【先行技術文献】
【特許文献】
【０００３】
【特許文献１】特開２００７−２６８９５９号公報
【発明の概要】
【発明が解決しようとする課題】
【０００４】
本発明は、デバイスが制御装置から制御信号を受付けられない状態であっても、デバイスの動作の実行を制御することができる、デバイス、制御装置、制御システム、及び制御プログラムを提供することを目的とする。
【課題を解決するための手段】
【０００５】
上記目的を達成するために、請求項１に記載のデバイスは、制御装置から供給される供給電圧を受付ける第１受付手段と、複数の予め定められた動作のうち、何れかの動作に対応した制御信号を前記制御装置から受付ける第２受付手段と、前記制御信号を前記第２受付手段が受付けた場合に、前記制御信号に対応した予め定められた動作を設定部に設定する設定手段と、前記第１受付手段が受付けた前記供給電圧がオフ状態の場合に、前記設定手段に設定された前記制御信号に対応した予め定められた動作を各機能部で実行すると共に、前記供給電圧がオフ状態の場合に、前記第１受付手段が、前記供給電圧がオフ状態であることを再度受け付けた場合、前記制御信号に対応した予め定められた動作とは異なる動作を各機能部で実行するよう制御する制御手段と、を備えた。
【０００６】
請求項２に記載の制御装置は、供給電圧をデバイスに出力する第１出力手段と、前記デバイスに予め定められた動作を実行させるための制御信号を出力する第２出力手段と、動作状態が節電モードに移行した場合に、前記供給電圧がオフ状態となるよう前記第１出力手段を制御すると共に、前記供給電圧がオフ状態の場合において前記デバイスに実行させるための前記予め定められた動作を示す制御信号を出力するよう前記第２出力手段を制御する制御手段と、を備え、前記制御手段は、前記動作状態が節電モードの最中に主電源がオフ状態にされた場合は、前記供給電圧をオフ状態からオン状態にした後、再びオフ状態となるよう前記第１出力手段を制御する。
【０００９】
請求項３に記載の制御システムは、前記請求項２に記載の制御装置と、前記制御装置から出力される供給電圧、及び制御信号により制御される、前記請求項１に記載のデバイスと、を備える。
【００１０】
請求項４に記載の制御プログラムは、前記請求項１に記載のデバイスの設定手段及び制御手段としてコンピュータを機能させるためのものである。
【００１１】
請求項５に記載の制御プログラムは、前記請求項２に記載の制御装置の制御手段としてコンピュータを機能させるためのものである。
【発明の効果】
【００１２】
請求項１、請求項２、請求項３、請求項４、及び請求項５に記載の発明によれば、本構成を有しない場合と比較して、デバイスが制御装置から制御信号を受付けられない状態であっても、デバイスの動作の実行を制御することができる。
【００１４】
請求項４に記載の発明によれば、本構成を有しない場合と比較して、節電モードの最中に制御装置の主電源がオフ状態とする場合であっても、予め定められた動作をデバイスに実行させることができる。
【図面の簡単な説明】
【００１５】
【図１】本実施の形態に係る複合機の一例の全体の概略構成を示す概略構成図である。
【図２】本実施の形態に係る複合機に備えられた各装置の概略構成を示すブロック図である。
【図３】本実施の形態に係る制御装置及び空気清浄機の概略構成の一例を示す機能ブロック図である。
【図４】本実施の形態の制御装置の制御部のハードウエア構成の一例を示す概略構成図である。
【図５】制御信号（制御コマンド）と空気清浄機の動作との対応関係の具体的一例を示した表である。
【図６】制御装置の制御部で実行される制御処理の一例を示すフローチャートである。
【図７】空気清浄機の制御部で実行される制御処理の一例を示すフローチャートである。
【発明を実施するための形態】
【００１６】
以下、図面を参照して本発明の実施の形態の一例を詳細に説明する。本実施の形態では、具体的一例として、本発明の制御装置を原稿読取装置や画像形成装置等を備えた複合機（詳細後述）の制御装置、及び本発明のデバイスを空気清浄機（詳細後述）に適用し、複合機及び空気清浄機を備えた制御システム１に適用した場合について詳細に説明する。
【００１７】
まず、図１及び図２を参照して、本実施の形態の複合機の概略について説明する。図１に、本実施の形態の複合機の一例の全体の概略を示す。図１（Ａ）は、複合機１０の概略構成図を示しており、（Ｂ）は、複合機１０の外観の概略斜視図を示している。図２は、本実施の形態の複合機１０に備えられた各装置の概略構成を示すブロック図である。
【００１８】
図１に示す本実施の形態の複合機１０は、原稿読取機能や複写機能やプリント機能等を複合的に備えた多機能装置であり、原稿を読み取るスキャナ等からなる原稿読取装置１２、画像形成装置１４、及び複合機１０全体を制御するための制御装置１６で構成されている。また、本実施の形態の複合機１０は、用紙Ｐが収納される用紙供給部３２を備えている。さらに、本実施の形態の複合機１０は、複合機１０の状態等をユーザに表示（通知）する機能を有すると共に、ユーザからの各種指示を受付けるための機能を有するいわゆるユーザインターフェイスとして、操作パネル１９を備えている。なお、本実施の形態では、空気清浄機４０は、複合機１０と一体的に構成されている。
【００１９】
本実施の形態の複合機１０の画像形成装置１４を含む各構成部材は、基台３６上に切り離しできるように積載された筐体３８の内部に収容されている。複合機１０の原稿読取装置１２の下方であって筐体３８の上部の面には、用紙排出部３９が設けられており、用紙排出部３９には、画像形成装置１４により画像が形成された用紙Ｐが排出されるように構成されている。
【００２０】
複合機１０には、一定の間隔をおいて並列的に配置される各色毎（本実施の形態では４つ）の画像形成ユニット２０（２０Ｙ、２０Ｍ、２０Ｃ、２０Ｋ）が備えられている、各画像形成ユニット２０は、静電潜像を形成してトナー像を保持する感光体２２を備えており、いわゆる電子写真方式によってトナー像を中間転写体２４上に形成する。なお、画像形成ユニット２０Ｙ、２０Ｍ、２０Ｃ、２０Ｋは、それぞれイエロー（Ｙ）、マゼンタ（Ｍ）、シアン（Ｃ）、黒（Ｋ）のトナー像を形成するため、それぞれ、現像装置に形成するトナー像の色に応じたトナーを収納する他は、略同一の構成となっている。以下、各々を区別せずに総称する場合は、「画像形成ユニット２０」といい、区別する場合は、「Ｙ」、「Ｍ」、「Ｃ」、「Ｋ」の符号を付していう。
【００２１】
また、画像形成装置１４は、中間転写体２４、一次転写部２６、二次転写部２８、及び定着装置３０を備えている。一次転写部２６は、画像形成ユニット２０にて形成された各色トナー像を中間転写体２４に順次転写（一次転写）する機能を有している。二次転写部２８は、中間転写体２４上に重ねて形成された各色トナー像を記録材（用紙Ｐ）に一括転写（二次転写）する機能を有している。また、定着装置３０は、二次転写された各色トナー像を用紙Ｐに定着させる機能を有している。
【００２２】
用紙供給部３２は、用紙Ｐを収容する用紙収容部３４を備えている。画像形成装置１４により画像が形成される際に、用紙供給部３２は、用紙収容部３４に収容されている用紙Ｐを二次転写部２８に供給する機能を有している。
【００２３】
また、本実施の形態の複合機１０では、図２に示すように、電源制御部１８を備えている。電源制御部１８は、複合機１０に備えられた各装置（原稿読取装置１２、画像形成装置１４、制御装置１６、及び操作パネル１９）または、各装置が有する機能部に供給する電源電圧（電力）を制御する機能を有している。例えば、複合機１０に主電源が投入されると、電源制御部１８は、各装置（原稿読取装置１２、画像形成装置１４、制御装置１６、及び操作パネル１９）に電源電圧（電力）を供給する。また、本実施の形態の複合機１０では、主電源が投入されている最中に、各装置または全装置、もしくは、各装置が備える機能の一部または全機能への電力供給を停止させ、通常の稼働状態よりも消費電力を抑える節電モード（いわゆるスリープモードや省エネモード）を備えており、予め定められた条件（例えば、原稿読取装置１２及び画像形成装置１４が非稼働となってから所定の時間後等）に応じて、電源制御部１８は、予め定められた各装置（または各機能部）への電源電圧（電力）の供給を停止するように構成されている。
【００２４】
複合機１０による画像形成動作の一例について説明する。原稿読取装置１２で読み取った原稿に応じた画像を形成する場合は、原稿読取装置１２は、原稿を読み取った画像データを画像形成装置１４に出力する。また、パーソナルコンピュータ等の外部装置（図３参照）から入力された画像データに応じた画像を形成する場合は、外部装置から画像データ入力される。画像データは、予め定められた画像処理が施された後、各画像形成ユニット２０に送られる。各画像形成ユニット２０では、感光体２２が回転しながら、予め定められた電位に帯電された後、走査露光される。これにより、感光体２２上には、各色画像に関する静電潜像が形成される。感光体２２上に形成された静電潜像は、現像され、感光体２２上には各色トナー像が形成される。
【００２５】
各画像形成ユニット２０で形成された各色トナー像は、回転駆動される中間転写体２４上に一次転写部２６により順次静電吸引される。これにより、中間転写体２４上には、各色トナー像が重ね合わされたトナー像が形成される。さらに、中間転写体２４上の重ね合わされたトナー像は、中間転写体２４の移動に伴って二次転写部２８に搬送され、二次転写部２８が形成する転写電界の作用により、用紙供給部３２により二次転写部２８に供給された用紙Ｐ上に、一括して静電転写される。
【００２６】
その後、トナー像が静電転写された用紙Ｐは、中間転写体２４から剥離され、定着装置３０まで搬送される。定着装置３０に搬送された用紙Ｐ上のトナー像は、定着装置３０によって熱及び圧力による定着処理を受けて用紙Ｐ上に定着され、用紙排出部３９に排出される。
【００２７】
また、本実施の形態の空気清浄機４０は、空気（画像形成装置１４等から排出された空気等）を清浄（濾過）する機能を有しており、制御装置１６の指示により、空気を清浄（濾過）するための予め定められた動作を実行する。
【００２８】
空気清浄機４０は、空気を清浄（濾過）するための各種の空気清浄部材（図示省略）が備えられている。空気清浄部材としては特に限定されないが、例えば、空気から塵や埃等を除去するためのプレフィルター、消臭フィルター、及びウイルス等を除去するためのバイオフィルター等の各種フィルターや、送風機（送風ファン）等が挙げられる。
【００２９】
図３に、本実施の形態の制御装置１６及び空気清浄機４０の構成の一例の機能ブロック図を示す。
【００３０】
本実施の形態の制御装置１６は、制御部５０、表示部５２、ＵＳＢ  Ｈｏｓｔ５４、及びネット通信部５６を備えている。
【００３１】
制御部５０は、制御装置１６全体を制御する機能を有している。また、本実施の形態では、制御部５０は、ＵＳＢ  Ｈｏｓｔ５４を介して、空気清浄機４０の動作（詳細後述）を制御する機能を有している。
【００３２】
図４に、本実施の形態の制御部５０のハードウエア構成の一例の概略構成図を示す。本実施の形態の制御部５０は、ＣＰＵ７０、ＲＡＭ７２、ＲＯＭ７４、ＮＶＭ（Ｎｏｎ  Ｖｏｌａｔｉｌｅ  Ｍｅｍｏｒｙ：不揮発性メモリ）７６、及びＩ／Ｆ部７８を備えて構成されている。ＣＰＵ７０、ＲＡＭ７２、ＲＯＭ７４、ＮＶＭ７６、及びＩ／Ｆ（インターフェース）部７８は、コントロールバスやデータバス等のバス７９を介して互いに情報等の授受されるように接続されている。
【００３３】
ＣＰＵ７０は、予め定められた制御プログラム７５に従ってデジタル演算処理を実行する機能を有する。ＲＡＭ７２は、ＣＰＵ７０で制御プログラム７５を実行する際の作業用の領域を確保するものである。ＲＯＭ７４は、ＣＰＵ７０での処理に使用される各種設定値等や詳細を後述する制御処理等の制御プログラム７５等が格納される。本実施の形態では、当該制御プログラム７５がＣＰＵ７０により実行されることにより、詳細を後述する制御処理が行われる。ＮＶＭ７６は、電源制御部１８からの電源供給が途絶えた場合にもデータを保持される、電池によりバックアップされたフラッシュメモリ等である。また、Ｉ／Ｆ部７８は、制御部５０に接続される制御装置１６の各構成部との信号の入出力を制御するものである。
【００３４】
なお、本実施の形態では、制御プログラム７５は、予め格納されている構成としているがこれに限らず、外部装置（図示省略）からＲＯＭ７４にインストールされるように構成してもよい。また、インターネット等のネットワークを介して制御部５０にプログラムが伝送され、制御部５０のＲＯＭ７４にインストールされるように構成してもよい。さらにまた、ＤＶＤ−ＲＯＭやフラッシュメモリ、ＵＳＢ等の外部記録媒体からＲＯＭ７４にインストールされるように構成してもよい。
【００３５】
表示部５２は、制御装置１６（制御部５０）による制御状態や、空気清浄機４０に関する状態（動作状態等）をユーザに対して表示する機能を有するものである。また、本実施の形態では、表示部５２は、ユーザからの空気清浄機４０の動作に対する指示や各制御に関する指示等を受付ける機能を有している。なお、本実施の形態では、操作パネル１９を表示部５２として用いている。
【００３６】
ネット通信部５６は、パーソナルコンピュータ８と各種データ（画像データ含む）を通信するための機能を有している。本実施の形態では、制御装置１６（ネット通信部５６）とパーソナルコンピュータ８とは、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、及びインターネット等のネットワーク回線により接続されるように構成しているがこれに限らない。
【００３７】
本実施の形態では、制御装置１６と空気清浄機４０とは、ＵＳＢ回線により接続されており、ＵＳＢ  Ｈｏｓｔ５４は、空気清浄機４０（空気清浄機４０の通信部６４）とＵＳＢ通信するための機能を有している。
【００３８】
ＵＳＢ  Ｈｏｓｔ５４は、制御部５０の制御により空気清浄機４０に、ＵＳＢ  ＶＢＵＳラインによって供給電圧（空気清浄機４０の起動電圧。以下、ＶＢＵＳという）を供給すると共に、信号線によって空気清浄機４０の動作を制御するための制御信号（制御コマンド）を送信する。
【００３９】
本実施の形態では、複合機１０が節電モードの場合は、制御装置１６は、表示部５２、ＵＳＢ  Ｈｏｓｔ５４、及びネット通信部５６への電源電圧（電力）の供給が停止される。なお、どの機能を停止させるかは、特に限定されないが、本実施の形態では、少なくともＵＳＢ  Ｈｏｓｔ５４の機能を停止させると共に、ＶＢＵＳがオフ状態になるように構成しており、節電モード中は、空気清浄機４０との通信が行えない。また、節電モードから復帰する場合は、電源電圧（電力）の供給が停止されていた各機能部に電源電圧（電力）を供給すると共に、復帰に伴う予め定められた処理（例えば、初期化処理等）を実行する。
【００４０】
一方、本実施の形態の空気清浄機４０は、制御部６０、通信部６４、設定部６８、及び記憶部６９を備えている。なお、図３では、空気の清浄（濾過）に関する動作を行う機能については図示を省略している。
【００４１】
制御部６０は、空気清浄機４０全体を制御する機能を有している。本実施の形態では、制御部６０は、通信部６４を介して制御装置１６から受付けた制御信号（制御コマンド）に応じて空気の清浄（濾過）に関する動作や、空気清浄機４０自身の電源のオン、オフ（動作停止）に関する制御を行う機能を有している。なお、制御部６０のハードウエア構成は、制御装置１６の制御部５０のハードウエア構成と略同一のため、ここでは、説明を省略する。
【００４２】
設定部６８は、制御装置１６から受付けた制御信号（制御コマンド）に応じて、ＶＢＵＳがオフ状態の場合の空気清浄機４０の動作が設定されている。また、記憶部６９には、制御信号（制御コマンド）と空気清浄機４０の動作との対応関係（図５参照）が予め記憶されており、制御部６０は、通信部６４が受付けた制御信号（制御コマンド）に対応する動作を記憶部６９から読み取り、当該動作を行うように上述の制御を行う。
【００４３】
次に、本実施の形態の制御システムである複合機１０の制御装置１６による空気清浄機４０の動作（節電モードにおける動作）の制御について詳細に説明する。なお、本実施の形態では、空気清浄機４０がＶＢＵＳのオフ状態を検知した場合に、動作を停止させるように予め空気清浄機４０の設定部６８に初期設定（デフォルト）されている。
【００４４】
まず、制御装置１６の制御部５０で実行される、制御処理について詳細に説明する。図６には、制御部５０で実行される制御処理の一例のフローチャートを示す。図６に示した、制御処理は、複合機１０への電源投入時等、通常モード（節電モードではないモード）においてスタートする。
【００４５】
ステップＳ１００では、ＶＢＵＳがオフ（ＶＢＵＳ  ＯＦＦ）時の空気清浄機４０の動作を初期設定から変更するよう指示を受付けたか否かを判断する。受付けていない場合は、否定されてステップＳ１０４へ進む。
【００４６】
一方、表示部５２やパーソナルコンピュータ８等を介して受付けた場合は、肯定されてステップＳ１０２へ進む。ステップＳ１０２では、ＶＢＵＳ  ＯＦＦ時の動作を変更するために、受付けた動作に対応する予め定められた制御信号（制御コマンド）を空気清浄機４０に出力した後、ステップＳ１０４へ進む。なお、制御信号（制御コマンド）の形式については特に限定されず、一般に用いられる制御信号（制御コマンド）を用いればよい。制御信号（制御コマンド）を受付けた空気清浄機４０では、当該制御コマンドに応じた動作が設定部６８に設定される。本実施の形態では、具体的一例として、ＶＢＵＳのオフ状態を検知した場合、実行中の空気清浄機能の動作を継続するよう設定部６８に設定される。
【００４７】
ステップＳ１０４では、節電モードに移行したか否か判断する。節電モードに移行していない場合は、否定されてステップＳ１００に戻り、ステップＳ１００〜Ｓ１０４の処理を繰り返す。一方、電源制御部１８から節電モードに移行するよう制御を受付け、節電モードに移行する場合は、肯定されてステップＳ１０６へ進む。
【００４８】
ステップＳ１０６では、ＵＳＢ  Ｈｏｓｔ５４への電源電圧（電力）の供給を停止する。これにより、ＶＢＵＳがＯＦＦとなり、制御装置１６から空気清浄機４０への通信が不能になる。このようにＶＢＵＳがＯＦＦとなったことを空気清浄機４０が検知すると、空気清浄機４０では、設定部６８に設定されている動作が実行される（詳細後述）。
【００４９】
次のステップＳ１０８では、節電モードから復帰したか否か判断する。電源制御部１８から復帰するよう制御を受付け、節電モードから復帰した場合は、ステップＳ１１０へ進む。ステップＳ１１０では、ＵＳＢ  Ｈｏｓｔ５４から空気清浄機４０に供給されるＶＢＵＳをオン状態にし、空気清浄機４０に対して節電モードから復帰するための所定の復帰処理（例えば、初期化処理）を行うよう制御信号（制御コマンド）を出力した後、ステップＳ１００に戻る。
【００５０】
一方、ステップＳ１０８で節電モードから復帰していない場合は、否定されてステップＳ１１２へ進む。ステップＳ１１２では、複合機１０の主電源がＯＦＦ（オフ）状態にされたか否かを判断する。主電源がオフ状態とされていない場合は、否定されてステップＳ１０８に戻り、ステップＳ１０８〜ステップＳ１１２の処理を繰り返す。一方、主電源がオフ状態とされた場合は、肯定されてステップＳ１１４へ進む。
【００５１】
ステップＳ１１４では、ＵＳＢ  Ｈｏｓｔ５４から空気清浄機４０に供給されるＶＢＵＳを一度オン状態にした後、再びオフ状態にし、その後、本処理を終了する。これにより、空気清浄機４０では、節電モード中に複合機１０の主電源がオフ状態にされた場合は、ＶＢＵＳのオフ状態（オン状態からオフ状態への移行）を検知し、設定部６８に設定されている動作が実行される（詳細後述）。
【００５２】
次に空気清浄機４０の制御部６０で実行される、制御処理について詳細に説明する。図７には、制御部６０で実行される制御処理の一例のフローチャートを示す。図７に示した、制御処理は、空気清浄機４０への電源投入時等、複合機１０が通常モード（節電モードではないモード）においてスタートする。
【００５３】
ステップＳ２００では、デフォルト（初期設定）のＶＢＵＳ  ＯＦＦ時を検知した際の動作を設定部６８に設定する。本実施の形態では、上述したように、具体的一例として、空気清浄機４０の動作を停止させるように設定部６８に設定する。
【００５４】
次のステップＳ２０２では、ＶＢＵＳ  ＯＦＦ時の動作を変更するための制御信号（制御コマンド）を制御装置１６から受付けたか否か判断する。受付けていない場合は、否定されてステップＳ２０６へ進む。一方、受付けた場合（上述の制御装置１６の制御処理のステップＳ１０２の処理が実行された場合）は、肯定されてステップＳ２０４へ進む。ステップＳ２０４では、制御部６０は、受付けた制御信号（制御コマンド）に対応する動作を記憶部６９から読み取って、当該動作を設定部６８に設定した後、ステップＳ２０６へ進む。本実施の形態では、上述したように、具体的一例として、空気清浄機４０の動作を継続させる（動作を停止させない）ように設定部６８に設定する。
【００５５】
ステップＳ２０６では、ＶＢＵＳのＯＦＦを検知したか否かを判断する。検知しない場合（複合機１０が節電モードに移行していない場合等）は、否定されてステップＳ２０２に戻り、ステップＳ２０２〜ステップＳ２０６の処理を繰り返す。一方、検知した場合（上述の制御装置１６の制御処理のステップＳ１０６が実行された場合等）は、肯定されてステップＳ２０８へ進む。
【００５６】
ステップＳ２０８では、設定部６８に設定されている、ＶＢＵＳ  ＯＦＦを検知した場合の動作の設定に従って、動作状態を変更するよう制御する。本実施の形態では、ＶＢＵＳがオフ状態になる前に、制御装置１６からＶＢＵＳ  ＯＦＦ時動作を変更するための制御信号（制御コマンド）を受付けていない場合は、設定部６８には初期設定（デフォルト）が設定されているため、空気清浄機４０の動作（空気を清浄（濾過）するための動作、本実施の形態では、空気清浄機４０の全体動作）を停止させる。一方、ＶＢＵＳがオフ状態になる前に、制御装置１６からＶＢＵＳ  ＯＦＦ時動作を変更するための制御信号（制御コマンド）を受付けている場合（上述のステップＳ２０２で肯定されてステップＳ２０４を実行した場合）は、設定部６８にはＶＢＵＳのオフ状態を検知しても空気清浄機４０の動作を停止させないように設定されているため、空気清浄機４０の動作を継続させる。
【００５７】
次のステップＳ２１０では、空気清浄機４０の動作が停止（空気清浄機４０の主電源オフ）されるか否か判断する。設定部６８に初期設定（デフォルト）が設定されている等、空気清浄機４０の動作が停止される場合は、肯定されて本処理を終了する。一方、空気清浄機４０の動作を継続している場合は、否定されてステップＳ２００に戻り、本処理を繰り返す。
【００５８】
ここで、複合機１０が節電モードに移行しており、空気清浄機４０の動作が継続している場合について説明する。この場合、空気清浄機４０では、ステップＳ２１０で否定されてステップＳ２００に戻り、設定部６８に初期設定（デフォルト）が設定された状態に戻る。節電モード中であるため、制御装置１６から制御信号（制御コマンド）を受付けることがなく、ステップＳ２０２では否定されてステップＳ２０６へ進む。節電モード中の場合及び節電モードから復帰した場合は、ステップＳ２０６で否定される。なお、節電モード中の場合、制御装置１６のＵＳＢ  Ｈｏｓｔ５４から供給されるＶＢＵＳはオフ状態のままであるが、新たにＶＢＵＳのオフ状態を検知（ＶＢＵＳのオン状態からオフ状態への移行を検知）したのではないため、本実施の形態では、このようにステップＳ２０６で否定される。ステップＳ２０６で否定された場合は、上述したようにステップＳ２０２に戻り、ステップＳ２０２〜ステップＳ２０６の処理を繰り返す。
【００５９】
一方、節電モード中に複合機１０の主電源がＯＦＦ状態とされた場合は、上述の制御装置１６の制御処理のステップＳ１１４が実行されるため、ＶＢＵＳのオフ状態を検知（ＶＢＵＳのオン状態からオフ状態への移行を検知）し、ステップＳ２０６で肯定されてステップＳ２０８へ進む。
【００６０】
ステップＳ２０８では、初期設定（デフォルト）に従って、動作を変更する制御されるため、空気清浄機４０の動作を停止させる。これにより、次のステップＳ２１０では、肯定されて本処理を終了する。
【００６１】
以上説明したように、本実施の形態の複合機１０の制御装置１６及び空気清浄機４０を備えた制御システム１では、空気清浄機４０の設定部６８に予め、制御装置１６から供給されるＶＢＵＳ  ＯＦＦ時の動作が設定されている。制御装置１６でＶＢＵＳ  ＯＦＦ時の動作の変更が指示されると、ＶＢＵＳ  ＯＦＦ時の動作の変更を指示するための制御信号（制御コマンド）が制御装置１６のＵＳＢ  Ｈｏｓｔ５４から空気清浄機４０に出力される。空気清浄機４０では、制御部６０が通信部６４で受付けられた当該制御信号に応じた動作を記憶部６９から読み取って、設定部６８に設定する。
【００６２】
このように設定することにより、複合機１０が節電モードに移行し、制御装置１６と空気清浄機４０との間で通信が不能になった場合でも、節電モードに移行することにより、ＶＢＵＳがオン状態からオフ状態へ変化したことを検知するため空気清浄機４０では、制御装置１６の指示により設定部６８に設定された動作を実行させることができる。例えば、本実施の形態では、空気の清浄（濾過）動作を継続させることができると共に、設定部６８に初期設定（デフォルト）が設定されている場合は、動作を停止させることができる。
【００６３】
また、本実施の形態では、節電モード中に複合機１０の主電源がオフ状態とされた場合は、制御装置１６は、ＵＳＢ  Ｈｏｓｔ５４から供給されるＶＢＵＳを一度オン状態に切り替えた後、再びオフ状態にする。このようにＵＳＢ  Ｈｏｓｔ５４から供給されるＶＢＵＳのオン状態及びオフ状態を切り替えることにより、空気清浄機４０では、再びＶＢＵＳがオン状態からオフ状態へ変化したことを検知するため空気清浄機４０では、制御装置１６の指示により設定部６８に設定された動作を実行させることができる。例えば、本実施の形態では、節電モード中に再び設定部６８に初期設定（デフォルト）が設定されるように構成しているため、空気清浄機４０の動作を停止させることができる。すなわち、節電モード中に複合機１０の主電源がオフされるのに伴い、空気清浄機４０の動作を停止（電源オフ）させることができる。
【００６４】
節電モード中は、制御装置１６と空気清浄機４０との間でＵＳＢ通信を行うことができないため、制御装置１６は、空気清浄機４０の動作の制御を実行できなくなる。そのため、一般的なシステムでは、制御装置から空気清浄機の制御を実行しようとする場合、制御装置では、一度ＵＳＢ  Ｈｏｓｔへ電源を供給し、初期化手順を実行した後、空気清浄機に制御信号を出力しなくてはならず、処理が煩雑になってしまう。
【００６５】
一方、本発明の制御装置１６及び空気清浄機４０を備えるシステム１では、予め制御装置１６から指示しておくことにより、節電モード中であっても、ＶＢＵＳのオン状態からオフ状態への移行の検知をトリガとして空気清浄機４０の動作が制御される。
【００６６】
従って、空気清浄機４０が制御装置１６から制御信号（制御コマンド）を受付けられない状態であっても、空気清浄機４０の動作の実行を制御することができる。
【００６７】
なお、本実施の形態では、空気清浄機４０でＶＢＵＳのオフ状態を検知した場合の動作について、空気清浄機４０の動作を継続させる場合について詳細に説明したがこれに限らない。例えば、風量を変更する（風量が通常よりも弱くなるよう弱運転モードに切り替える等）の動作や、タイマー（図示省略）を設定し、予め定められた時間の経過後に空気清浄機４０の動作を停止させるようにしてもよい。
【００６８】
また、本実施の形態では、本発明の制御装置として複合機１０の制御装置１６に適用した場合について説明したがこれに限らない。例えば、複合機１０は、原稿読み取り機能（原稿読取装置１２）及び画像形成機能（画像形成装置１４）を備えるように構成しているがこれに限らず、例えば、ファクシミリ機能等、その他の機能をさらに備えるようにしてもよい。また、複合機１０に限らず、単一の機能を有する装置（例えば、画像形成装置１４）の制御装置１６に適用してもよい。また、その他の画像処理装置の制御装置に適用してもよいし、パーソナルコンピュータ等の制御装置に適用してもよい。デバイスを制御する外部装置の制御装置であれば特に限定されない。
【００６９】
また、本実施の形態では、本発明のデバイスとして空気清浄機４０に適用した場合について説明したがこれに限らない。本発明の制御装置（制御装置１６）により動作が制御されると共に、制御装置から電源ラインにより供給電圧（ＶＢＵＳ）が供給されるデバイスであれば特に限定されるものではない。
【００７０】
また、本実施の形態では、制御装置１６と空気清浄機４０とをＵＳＢ通信により通信する場合について説明したがこれに限らず、例えば、ＩＥＥＥ１３９４（Ｆｉｒｅ  Ｗｉｒｅ）やＴｈｕｎｄｅｒＢｏｌｔ等、制御信号等を出力する信号線（通信ライン）と、供給電圧を供給するための電源ラインを持つ通信手段であれば特に限定されない。
【００７１】
なお、本実施の形態で説明した、複合機１０、制御装置１６、及び空気清浄機４０等の構成、動作、制御処理等は一例であり、本発明の主旨を逸脱しない範囲内において状況に応じて変更されることは言うまでもない。
【符号の説明】
【００７２】
１０  複合機
１６  制御装置
４０  空気清浄機
５０  制御部
５４  ＵＳＢ  Ｈｏｓｔ
６０  制御部
６４  通信部
６８  設定部
【図１】
0006007493.tif 000002
【図２】
0006007493.tif 000003
【図４】
0006007493.tif 000004
【図５】
0006007493.tif 000005
【図６】
0006007493.tif 000006
【図７】
0006007493.tif 000007
【図３】
0006007493.tif 000008